【手続補正書】
【提出日】平成22年10月13日(2010.10.13)
【手続補正１】
【補正対象書類名】特許請求の範囲
【補正対象項目名】全文
【補正方法】変更
【補正の内容】
【特許請求の範囲】
【請求項１】
ホストに連結される複数の試験装置を同期化するための方法であって、
ほぼ同時に、前記複数の試験装置のそれぞれのカウンタを初期化するステップと、
複数のデータフレームを前記複数の試験装置のそれぞれに送信するステップであって、各データフレームは、同一期間を有し、インクリメントメッセージから開始する、ステップと、
前記複数のデータフレームが、前記複数の試験装置のそれぞれにより受信されている間、各データフレームの開始時に前記インクリメントメッセージに応じて、ほぼ同時に前記カウンタのそれぞれをインクリメントするステップと、
前記複数の試験装置の少なくとも１つの対応するカウンタがプログラムカウンタ値に達する時、前記複数の試験装置の少なくとも１つにより、第１のアクションをトリガするステップと、
前記複数の試験装置の前記少なくとも１つの前記対応するカウンタが前記第１のプログラムカウンタ値に達した後に、第２のプログラムカウンタ値に達する時、前記複数の試験装置の前記少なくとも１つにより、第２のアクションをトリガするステップと、
を含む、方法。
【請求項２】
前記ホストから前記複数の試験装置のそれぞれにトリガ命令を送信するステップであって、前記トリガ命令は、前記アクションと前記プログラムカウンタ値とを含む、ステップ、
をさらに含む、請求項１に記載の方法。
【請求項３】
前記アクションをトリガするステップは、
前記複数の試験装置の前記少なくとも１つの前記対応するカウンタが、前記プログラムカウンタに達する時、前記複数の試験装置の前記少なくとも１つの対応するタイマをトリガするステップと、
前記複数の試験装置の前記少なくとも１つの前記対応するタイマが、プログラムオフセット値に達する時、前記複数の試験装置の前記少なくとも１つにより、前記アクションを実行するステップと、
をさらに含む、請求項１または請求項２に記載の方法。
【請求項４】
前記ホストから前記複数の試験装置のそれぞれにトリガ命令を送信するステップであって、前記トリガ命令は、前記アクションと、前記プログラムカウンタ値と、前記プログラムオフセット値とを含む、ステップ、
をさらに含む、請求項３に記載の方法。
【請求項５】
前記第１のアクションは、前記複数の試験装置のそれぞれに連結される複数の試験コンポーネントへの、試験電流および試験電圧のうちの少なくとも１つの印加であり、前記第２のアクションは、前記複数の試験コンポーネントに関連する得られた変数の測定である、請求項１に記載の方法。
【請求項６】
前記ホストのユニバーサルシリアルバスシリアルインターフェースエンジンから、前記複数の試験装置のそれぞれに、前記インクリメントメッセージを送信するステップであって、前記インクリメントメッセージは、フレーム信号の開始である、ステップをさらに含む、請求項１または請求項２に記載の方法。
【請求項７】
前記電子コンポーネントのそれぞれにソース信号を印加し、前記ソース信号の印加後、前記電子コンポーネントのそれぞれの値を測定することで、複数のコンポーネントを試験するための装置であって、前記装置はホストによって制御される装置であり、
前記複数のコンポーネントのうちの選択されたものに前記ソース信号を印加し、前記複数のコンポーネントのうちの選択されたものの前記値を測定する、第１のソース測定ユニットと、
前記複数のコンポーネントのうちの他のものに前記ソース信号を印加し、前記複数のコンポーネントのうちの他のものの前記値を測定する、第２のソース測定ユニットと、
前記第１のソース測定ユニット内の第１のカウンタと、
前記第２のソース測定ユニット内の第２のカウンタと、
を備える装置であって、
前記ホストは、前記第１および第２のカウンタを互いに対してほぼ同時に初期化するために、初期化信号を送信するように動作可能であり、かつ前記第１のソース測定ユニットと前記第２のソース測定ユニットのそれぞれに複数のデータフレームを送信するように動作可能であり、各データフレームは、同一期間を有し、データストリームの開始を示す周期信号を含み、対応するデータパケットは、前記周期信号に追従し、
前記第１および第２のカウンタのそれぞれは、前記複数のデータフレームが前記ホストから送信されている間、周期信号が前記第１および第２のソース測定ユニットによって受信される毎に、インクリメントするように動作可能であり、前記第１のソース測定ユニットは、前記第１のカウンタがプログラムカウンタ値に達する時、前記ソース信号のうちの１つを送信するか、または前記値を測定し、前記第２のソース測定ユニットは、前記第２のカウンタが前記プログラムカウンタ値に達する時、前記第１のソース測定ユニットと同一の動作を実行する、装置。
【請求項８】
前記ホストは、ユニバーサルシリアルバスシリアルインターフェースエンジンを含み、前記周期信号は、フレーム信号の開始である、請求項７に記載の装置。
【請求項９】
前記第１のソース測定ユニット内の第１のシリアルインターフェースエンジンであって、前記第１のカウンタを含む、前記第１のシリアルインターフェースエンジンと、
前記第２のソース測定ユニット内の第２のシリアルインターフェースエンジンであって、前記第２のカウンタを含む、前記第２のシリアルインターフェースエンジンと、
をさらに備える、請求項７または請求項８に記載の装置。
【請求項１０】
前記第１のソース測定ユニットは、前記第１のカウンタが、第１のプログラムカウンタ値に達する時、前記ソース信号を印加し、前記第１のカウンタが、第２のプログラムカウンタ値に達する時、前記値を測定するように動作可能であり、前記第２のソース測定ユニットは、前記第２のカウンタが、前記第１のプログラムカウンタ値に達する時、前記ソース信号を印加し、前記第２のカウンタが、前記第２のプログラムカウンタ値に達する時、前記値を測定するように動作可能である、請求項７または請求項８に記載の装置。
【請求項１１】
前記ホストは、前記第１のソース測定ユニットと前記第２のソース測定ユニットとに、第１のオフセット値を送信するためにさらに動作可能であり、前記装置は、
前記第１のソース測定ユニット内の第１のタイマと、
前記第２のソース測定ユニット内の第２のタイマと、
をさらに備え、
前記第１のソース測定ユニットは、前記第１のカウンタが、第１のプログラムカウンタ値に達する時、前記第１のタイマを開始し、前記第１のタイマが、前記第１のオフセット値に達する時、前記ソース信号を印加するように動作可能であり、前記第２のソース測定ユニットは、前記第２のカウンタが、前記第１のプログラムカウンタ値に達する時、前記第２のタイマを開始し、前記第２のタイマが、前記第１のオフセット値に達する時、前記ソース信号を印加するように動作可能である、請求項７または請求項８に記載の装置。
【請求項１２】
前記ホストは、前記第１のソース測定ユニットと前記第２のソース測定ユニットとに、第２のオフセット値を送信するためにさらに動作可能であり、前記第１のソース測定ユニットは、前記第１のカウンタが、第２のプログラムカウンタ値に達する時、前記第１のタイマを開始し、前記第１のタイマが、前記第２のオフセット値に達する時、前記値を測定するように動作可能であり、前記第２のソース測定ユニットは、前記第２のカウンタが、前記第２のプログラムカウンタ値に達する時、前記第２のタイマを開始し、前記第２のタイマが、前記第２のオフセット値に達する時、前記値を測定するように動作可能である、請求項１１に記載の装置。